(57)【要約】      （修正有）【課題】脚片を箱体に取り付ける際に、脚片が互いに下向きに広がるように、正しく取り付けることが容易なバーベキュー用コンロを提供する。【解決手段】バーベキュー用コンロ１は、互いに対向し、取り付け面４０が形成された、少なくとも一対の側板４が設けられた箱体と、複数の脚片３と、該取り付け面４０上に設けられ、該取り付け面４０に沿って伸延し、下端部が複数の脚片３と着脱自在に装着される取り付け具５とを備えている。側板４は金属製であって、該側板４の外面には絞り加工により、該取り付け面４０が形成されている。該取り付け面４０は、下方の部分ほど外側に位置するように、該側板４の該取り付け面４０の周囲の面に対して傾斜しており、該複数の脚片３は、該取り付け具５の下端部に装着されることによって、該取り付け面４０に沿って、且つ互いに下向きに広がるように伸延している。【選択図】図４
0003181211.tif 000002
【実用新案登録請求の範囲】
【請求項１】
互いに対向し、取り付け面が形成された、少なくとも一対の側板が設けられた箱体と、複数の脚片と、該取り付け面上に設けられ、該取り付け面に沿って伸延し、下端部が前記複数の脚片に着脱自在に装着される取り付け具とを備え、
前記側板は金属製であって、該側板の外面には絞り加工により、該取り付け面が形成され、
該取り付け面は、下方の部分ほど外側に位置するように、該側板の該取り付け面の周囲の面に対して傾斜しており、
該複数の脚片は、該取り付け具の下端部に装着されることによって、該取り付け面に沿って、且つ互いに下向きに広がるように伸延する、バーベキュー用コンロ。
【請求項２】
前記取り付け面は、前記側板の上下に亘って設けられ、その上端部が前記側板の内側に陥没し、下端部が前記側板の外側に突出している、請求項１に記載のバーベキュー用コンロ。
【請求項３】
前記取り付け具は、金属製のパイプを折曲して形成され、前記取り付け面は前記取り付け具の折曲形状に沿うように形成された、請求項１又は２に記載のバーベキュー用コンロ。
【請求項４】
前記取り付け具の下端は、前記側板の下端と同一水平面内又は該側板の下端よりも上側に位置する、請求項１乃至３の何れかに記載のバーベキュー用コンロ。
【考案の詳細な説明】
【技術分野】
【０００１】
本考案は、アウトドア等で使用されるバーベキュー用コンロに関する。
【背景技術】
【０００２】
近年、キャンプ場のようなアウトドアでバーベキュー用コンロを用いて食事をすることが流行しており、かかるバーベキュー用コンロが次第に普及しつつある。出願人も以前に特許文献１に示すバーベキュー用コンロを提案している。これは、上面が開口した直方体状の箱体と、該箱体から真っ直ぐ下向きに延びた複数の脚片を備えている。バーベキュー用コンロを使用する際には、該箱体内の金網状部材に炭を入れ、該箱体の上面開口に金網又は鉄板を被せる。該炭を熱し、該金網又は鉄板上に食材を載置すれば、食材が加熱されて、これを食することができる。
これらのバーベキュー用コンロはアウトドアで用いられるから、運搬時の便宜に鑑みて、脚片を箱体に着脱可能に設け、使用の際に使用者が脚片を箱体に取り付ける構成となっているのが一般的である。
【先行技術文献】
【特許文献】
【０００３】
【特許文献１】実用新案登録第３１６５７５９号
【考案の概要】
【考案が解決しようとする課題】
【０００４】
複数の脚片は箱体から真っ直ぐ下向きに延びるよりも、下向きに互いに広がるように傾いている方が箱体を安定して支えることができる。しかし、箱体に取り付けられたときに脚片が下向きに広がるように、脚片自体に屈曲部を設けると、使用者が複数の脚片を箱体に取り付ける際に、下向きに互いに広がるように、正しく取り付けるのが難しい。
本考案の目的は、使用者が脚片を箱体に取り付ける際に、箱体に対する脚片の向きを考えなくても、脚片が互いに下向きに広がるように、正しく取り付けることが容易なバーベキュー用コンロを提供することにある。
【課題を解決するための手段】
【０００５】
バーベキュー用コンロは、互いに対向し、取り付け面が形成された、少なくとも一対の側板が設けられた箱体と、複数の脚片と、該取り付け面上に設けられ、該取り付け面に沿って伸延し、下端部が前記複数の脚片と着脱自在に装着される取り付け具とを備え、
前記側板は金属製であって、該側板の外面には絞り加工により、該取り付け面が形成され、
該取り付け面は、下方の部分ほど外側に位置するように、該側板の該取り付け面の周囲の面に対して傾斜しており、
該複数の脚片は、該取り付け具の下端部に装着されることによって、該取り付け面に沿って、且つ互いに下向きに広がるように伸延している。
【考案の効果】
【０００６】
１．取り付け具は傾斜した取り付け面上に設けられており、該取り付け具に装着されて両側板に取り付けられた複数の脚片は、該取り付け面に沿って互いに下向きに広がるように延びる。即ち、脚片を取り付け具に装着すると、両側板の脚片は互いに下向きに広がるように延びるから、たとえ脚片が真っ直ぐであっても、使用者は脚片を互いに下向きに広がるように、箱体に正しく取り付けることが容易にできる。
２．取り付け面は金属製の側板に絞り加工により形成されているから、側板の強度を高めることができる。また、これにより薄手の側板を用いることができ、バーベキュー用コンロを軽量にすることができ、かつバーベキュー用コンロの製造コストも削減することができる。更に、側板の強度が増加するとともに、脚片が広がり安定するので、バーベキュー用コンロがぐらつかない。
【図面の簡単な説明】
【０００７】
【図１】バーベキュー用コンロの分解斜視図である。
【図２】取り付け具の斜視図である。
【図３】側板の拡大図である。
【図４】図３をII―II線を含む面にて破断した矢視図である。
【図５】バーベキュー用コンロの正面図である。
【図６】(a)、(b)は、取り付け面の変形例を示す図である。
【考案を実施するための形態】
【０００８】
以下、本考案の一実施形態を図を用いて詳述する。
図１は、本考案に係るバーベキュー用コンロ１の分解斜視図である。該バーベキュー用コンロ１は、上面が開口し底板２０と一対の短側板４と該短側板４よりも長い長側板２１とによって構成された直方体状の箱体２と、該箱体２の短側板４から下向きに突出する複数の棒状の脚片３と、該箱体２の両短側板４に取り付けられ下端部に前記複数の脚片３の上端部が着脱自在に装着される取り付け具５とを備えている。一対の短側板４は互いに対向しており、両短側板４、長側板２１及び底板２０は何れも金属製であって、一体に形成されている。長側板２１及び底板２０は１つの部材であるが、別体の部材であってもよい。脚片３は箱体２の隅部に対応して４本設けられ、真っ直ぐな金属製パイプを適切な長さに切断して形成される。４本の脚片３は同じ長さに形成され、箱体２を水平状態に支持する。
【０００９】
取り付け具５は図２に示すように、金属製パイプを側面視で逆Ｕ字形に折曲して形成され、水平方向に延びた水平部５０と、該水平部５０の両端から互いに広がるように斜め下向きに延びた２つの傾斜部５１を一体に備えている。脚片３の上端部が取り付け具５の傾斜部５１の下端部に着脱自在に嵌まる。
尚、脚片３の外径は、傾斜部５１の内径よりも少し小さく形成されて、脚片３は傾斜部５１の内面に嵌められる。しかし、脚片３の内径が傾斜部５１の外径よりも少し大きく形成されて、脚片３が傾斜部５１の外面に嵌まってもよい。
該バーベキュー用コンロ１はアウトドアで使用されることが多いから、運搬等の便宜に鑑みて、脚片３と箱体２を着脱可能とし、使用者が使用の際に脚片３を箱体２に取り付ける構成となっている。
箱体２内には、図１に示す金網状部材６が収納され、該金網状部材６内に炭が載置される。炭が燃焼したときに、燃焼熱が直接底板２０に伝達しないように、金網状部材６には底板２０と隙間を設ける突起(図示せず)が形成されていてもよい。短側板４と長側板２１には金網状部材６上の炭への空気の流入を許す複数の透孔２２が開設されている。
【００１０】
図３は、短側板４の拡大図であり、図４は図３をII―II線を含む面にて破断した矢視図である。短側板４には絞り加工によって、リブの凸面である取り付け面４０が短側板４の上下に亘って形成されている。取り付け面４０は斜面であって、短側板４上にて取り付け面４０の周囲は垂直面である。即ち、取り付け面４０は短側板４上にて取り付け面４０の周囲の垂直面に対して傾いている。該取り付け面４０の側面視形状は取り付け具５の折曲形状に合わせた形状に形成されている。言い換えれば、取り付け具５は取り付け面４０に沿って伸延している。
該取り付け面４０は上端部が短側板４の内側に陥没し、下端部が短側板４の外側に突出しており、該取り付け面４０上に取り付け具５がボルトによって取り付けられる。このボルトの取り付けは、該バーベキュー用コンロ１を製造する工場内で行われ、使用者が行う必要はない。取り付け面４０上に取り付け具５が取り付けられた状態で、取り付け具５の傾斜部５１の下端は短側板４の下端よりも上側に位置する。或いは、傾斜部５１の下端は短側板４の下端と同一水平面内に位置してもよい。
【００１１】
前記の如く、脚片３と箱体２とは着脱可能であるから、別個に運搬されることがある。傾斜部５１の下端が短側板４の下端よりも外向きに突出していると、かかる運搬時に支障となるから、傾斜部５１の下端は短側板４の下端よりも上側、又は短側板４の下端と同一水平面内に位置させている。
また、取り付け面４０の側面視形状は取り付け具５に合わせた形状に形成されているから、取り付け具５を取り付け面４０に取り付ける際の作業性がよいとの利点もある。
尚、図４に示すように、脚片３の上端部に縮径部３aを形成し、該縮径部３aを取り付け具５に嵌めてもよい。縮径部３aの下端が取り付け具５の下端に接して、ストッパの役目を成し、全ての脚片３は一定長さだけが取り付け具５に嵌められる。これにより、側板４から下向きに延びた脚片３は、４本とも長さが等しくなる。
【００１２】
図５は、脚片３を取り付けたバーベキュー用コンロ１の正面図である。脚片３は上端部が、取り付け面４０上の取り付け具５に嵌められ、両短側板４に取り付けられた脚片３は互いに下向きに広がるように延びている。これにより、箱体２は水平姿勢で安定して支持される。この状態で、金網状部材６上の炭を燃焼させ、箱体２の上面開口に金網又は鉄板７を載置する。金網又は鉄板７上に食材を載置すれば、炭の燃焼熱によって食材が加熱されて、これを食することができる。
【００１３】
本実施形態のバーベキュー用コンロ１にあっては、脚片３を取り付け具５に嵌めると、両短側板４の脚片３は互いに下向きに広がるように延びる。これにより、脚片３が真っ直ぐな棒状であるにも拘らず、使用者は脚片３を互いに下向きに広がるように、箱体２に正しく取り付けることが容易にできる。
また、取り付け面４０は金属製の短側板４に絞り加工により形成されているから、短側板４の強度を高めることができる。また、これにより薄手の短側板４を用いることができ、バーベキュー用コンロ１を軽量にすることができ、かつバーベキュー用コンロ１の製造コストも削減することができる。
更に、前記の如く、運搬時の便宜に鑑みて、取り付け具５の傾斜部５１は下端が、短側板４の下端から下向きに突出していない。これにより、箱体２の梱包を小さくすることができ、箱体２の運賃も下げることができる。
【００１４】
上記記載では、取り付け面４０は上端部が短側板４の内側に陥没し、下端部が短側板４の外側に突出しているとした。しかし、これに代えて、図６(a)に示すように、取り付け面４０は短側板４の内側にのみ陥没してもよい。或いは、図６(b)に示すように、取り付け面４０は短側板４の外側にのみ突出してもよい。
該取り付け面４０の側面視形状は取り付け具５の折曲形状に合わせて逆Ｕ字状に形成されているとしたが、これに代えて、例えば台形でもよい。
【００１５】
上記記載では、取り付け面４０は短側板４に形成されているとしたが、長側板２１に形成されてもよい。また、取り付け面４０上に取り付け具５がボルトによって取り付けられるとしたが、これに代えて、リベットや溶接にて取り付け具５を取り付け面４０上に取り付けてもよい。
【産業上の利用可能性】
【００１６】
本考案に係るバーベキュー用コンロは、箱体に脚片を着脱自在に設けたコンロに適用すると有用である。
【符号の説明】
【００１７】
１    バーベキュー用コンロ
２    箱体
３    脚片
４    短側板
５    取り付け具
２１  長側板
４０  取り付け面
【図１】
0003181211.tif 000003
【図２】
0003181211.tif 000004
【図３】
0003181211.tif 000005
【図４】
0003181211.tif 000006
【図５】
0003181211.tif 000007
【図６】
0003181211.tif 000008